【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
所定材料に、一種以上の式（Ｉ）
Ｓ＝ＰＲ１Ｒ２Ｒ３  （Ｉ）
［式（Ｉ）中、
Ｒ１とＲ２は、同一であるか異なって、Ｃ１−Ｃ１２−アルキル、Ｃ３−Ｃ８−シクロアルキル（無置換であっても、一個以上のＣ１−Ｃ４−アルキル基を置換基として有していてもよい）、Ｃ２−Ｃ１２−アルケニル、Ｃ２−Ｃ１２−アルキニル、Ｃ６−Ｃ１０−アリール、またはＣ６−Ｃ１０−アリール−Ｃ１−Ｃ４−アルキルであり；
Ｒ３は、Ｈ、ＳＨ、ＳＲ４、ＯＨ、ＯＲ５または
−（Ｙ１）ｎ−［Ｐ（＝Ｘ１）Ｒ６−（Ｙ２）ｎ］ｍ−Ｐ（＝Ｘ２）Ｒ７Ｒ８基であり；
または、Ｒ１とＲ２とＲ３の二つの基が、そこに結合した燐原子とともに環系を形成しており；
Ｘ１とＸ２は、同一であるか異なって、ＯまたはＳであり；
Ｙ１とＹ２は、同一であるか異なって、ＯまたはＳであり；
Ｒ４、Ｒ５、Ｒ６、Ｒ７、Ｒ８は、同一であるか異なって、相互に独立して、
Ｃ１−Ｃ１２−アルキル、Ｃ３−Ｃ８−シクロアルキル（無置換であっても、一個以上のＣ１−Ｃ４−アルキル基を置換基として有していてもよい）、Ｃ２−Ｃ１２−アルケニル、Ｃ２−Ｃ１２−アルキニル、Ｃ６−Ｃ１０−アリール、またはＣ６−Ｃ１０−アリール−Ｃ１−Ｃ４−アルキルであり；
Ｙ１とＹ２がＯの場合、ｎは１であり、
Ｙ１とＹ２がそれぞれＳの場合、ｎは１、２、３、４、５、６、７、または８であり、
ｍは、０〜１００の整数である］
のホスフィンスルフイド誘導体を添加する工程を含む、材料を難燃化する方法。
【請求項２】
請求項１に記載の方法であって、式（Ｉ）中、
Ｒ１とＲ２は、同一であるか異なって、Ｃ１−Ｃ８−アルキル、シクロヘキシル、フェニルまたはベンジルであり；
Ｒ３は、Ｈ、ＳＨ、ＳＲ４または
−（Ｙ１）ｎ−［Ｐ（＝Ｘ１）Ｒ６−（Ｙ２）ｎ］ｍ−Ｐ（＝Ｘ２）Ｒ７Ｒ８基であり；
または、Ｒ１とＲ２とＲ３の二つの基が、そこに結合した燐原子とともに環状基を形成しており；
Ｘ１とＸ２はＳであり；
Ｙ１とＹ２は、同一であるか異なって、ＯまたはＳであり；
Ｒ４、Ｒ６、Ｒ７、Ｒ８は、同一であるか異なって、相互に独立して、Ｃ１−Ｃ８−アルキル、シクロヘキシル、フェニルまたはベンジルであり；
Ｙ１とＹ２がそれぞれＯの場合、ｎは１であり、
Ｙ２がＳの場合、ｎは１または２であり、
ｍは、０〜１０の整数である方法。
【請求項３】
請求項１または２に記載の方法であって、式（Ｉ）中、
Ｒ１とＲ２がフェニルであり；
Ｒ３は、Ｈ、ＳＨ、Ｓ−ベンジル、または（Ｙ１）ｎ−Ｐ（＝Ｓ）Ｒ７Ｒ８基であり；
Ｙ１は、同一であるか異なって、ＯまたはＳであり；
Ｒ７とＲ８は、フェニルであり；
Ｙ１がＯの場合、ｎは１であり、
Ｙ１がＳの場合、ｎは１または２である方法。
【請求項４】
請求項１〜３のいずれか一項に記載の方法であって、式（Ｉ）の化合物が以下の群：
Ｓ＝ＰＲ１Ｒ２−Ｈ  （Ｉａ）；
Ｓ＝ＰＲ１Ｒ２−ＳＨ  （Ｉｂ）；
Ｓ＝ＰＲ１Ｒ２−Ｓ−ベンジル（Ｉｃ）；
Ｓ＝ＰＲ１Ｒ２−Ｓ−Ｐ（＝Ｓ）Ｒ７Ｒ８  （Ｉｄａ）；
Ｓ＝ＰＲ１Ｒ２−Ｓ−Ｓ−Ｐ（＝Ｓ）Ｒ７Ｒ８  （Ｉｄｂ）； 
Ｓ＝ＰＲ１Ｒ２−Ｏ−Ｐ（＝Ｓ）Ｒ７Ｒ８  （Ｉｄｃ）であり、
（なお、これらの記号の定義は、請求項１〜３のいずれか一項に記載の式（Ｉ）に述べたものと同じである。）
から選択される方法。
【請求項５】
式（Ｉ）の化合物が、ジフェニルジチオホスフィン酸とジフェニルホスフィンスルフイド、ベンジルホスフィノジチオエート、ジフェニルチオホスフィン酸チオ無水物、ビス（ジフェニルホスフィノチオイル）ジスルフィド、ジフェニルチオホスフィン酸無水物から選ばれる請求項１〜４のいずれか一項に記載の方法。
【請求項６】
式（Ｉ）中のＲ３基が、ＳＨ、ＳＲ４、ＯＨ、ＯＲ５、または−（Ｙ１）ｎ−［Ｐ（＝Ｘ１）Ｒ６−（Ｙ２）ｎ］ｍ−Ｐ（＝Ｘ２）Ｒ７Ｒ８基である請求項１または２に記載の方法。
【請求項７】
Ｒ３が、ＳＨ、ＳＲ４、または−（Ｙ１）ｎ−［Ｐ（＝Ｘ１）Ｒ６−（Ｙ２）ｎ］ｍ−Ｐ（＝Ｘ２）Ｒ７Ｒ８基（ただし、Ｙ１＝Ｓ）である請求項６に記載の方法。
【請求項８】
Ｒ３が、ＳＨ、または−（Ｙ１）ｎ−［Ｐ（＝Ｘ１）Ｒ６−（Ｙ２）ｎ］ｍ−Ｐ（＝Ｘ２）Ｒ７Ｒ８基（ただし、Ｙ１＝Ｓ）である請求項７に記載の方法。
【請求項９】
式（Ｉ）で示される1種類の化合物が用いられる請求項１〜８のいずれか一項に記載の方法。
【請求項１０】
式（Ｉ）で示される少なくとも2種類の化合物が用いられる請求項１〜８のいずれか一項に記載の方法。
【請求項１１】
式（Ｉ）の化合物が、一種以上の他の難燃剤と、またそれぞれ一種以上のシナージストとの混合物に添加される請求項１〜１０のいずれか一項に記載の方法。
【請求項１２】
発泡または非発泡ポリマーに請求項１〜１１のいずれか一項に記載の難燃剤を添加する請求項１に記載の方法。
【請求項１３】
一種以上のポリマーと請求項１〜１１のいずれか一項に記載の難燃剤とを含むポリマー組成物。
【請求項１４】
０．１〜２５質量部（１００質量部のポリマーに対して）の難燃剤を含む請求項１３に記載のポリマー組成物。
【請求項１５】
ハロゲンフリーである請求項１３または１４に記載のポリマー組成物。
【請求項１６】
スチレンポリマーを含む請求項１３〜１５のいずれか一項に記載のポリマー組成物。
【請求項１７】
上記ポリマーがポリマー発泡体である請求項１３〜１６のいずれか一項に記載のポリマー組成物。
【請求項１８】
発泡性スチレンポリマー（ＥＰＳ）の形態である請求項１６に記載のポリマー組成物。
【請求項１９】
ａ）スタチックミキサーまたはダイナミックミキサーにより少なくとも１５０℃の温度で、有機発泡剤と、また必要なら請求項１〜１１のいずれか一項に記載の一種以上の式（Ｉ）の化合物の他の添加剤及び／又は助剤を、スチレンポリマーメルト中に導入するために混合する工程と、
ｂ）該発泡剤含有スチレンポリマーメルトを少なくとも１２０℃の温度に冷却する工程と、
ｃ）金型出口での孔径が１．５ｍｍ以下である有孔ダイプレートを通して吐出する工程と、
ｄ）ダイプレート直後の発泡剤含有メルトを、水中で１〜２０ｂａｒの範囲の圧力下で造粒する工程とを含む請求項１８に記載の発泡性スチレンポリマー（ＥＰＳ）の製造方法。
【請求項２０】
ａ）懸濁液中で一種以上のスチレンモノマーを重合する工程と、  
ｂ）重合前、重合中及び／又は重合後に、請求項１〜１１のいずれか一項に記載の一種以上の式（Ｉ）の化合物と、必要なら他の添加剤及び／又は助剤を添加する工程と、
ｃ）重合前、重合中及び／又は重合後に有機発泡剤を添加する工程と、  
ｄ）一種以上の式（Ｉ）の化合物を含む発泡性スチレンポリマー粒子を該懸濁液から分離する工程とを含む請求項１８に記載の発泡性スチレンポリマー（ＥＰＳ）の製造方法。  
【請求項２１】
押出スチレンポリマー発泡体（ＸＰＳ）の形態である請求項１７に記載のポリマー組成物。
【請求項２２】
ａ）少なくとも一種のスチレンポリマーを含むポリマー成分Ｐを加熱してポリマーメルトを形成する工程と、
ｂ）発泡剤成分Ｔを該ポリマーメルトに導入して発泡性メルトを形成する工程と、
ｃ）発泡させながら該発泡性メルトを比較的低圧の領域内に押し出して押出発泡体を得る工程と、
ｄ）工程ａ）及び／又はｂ）の少なくとも一工程において、少なくとも一種の請求項１に記載の式（Ｉ）の化合物と、適当なら他の助剤と添加材料とを添加する工程とを含む請求項２１に記載のスチレンポリマー（ＸＰＳ）の押出発泡体の製造方法。
【請求項２３】
発泡した形態の請求項２１に記載のハロゲンフリーポリマー組成物または請求項１８に記載のハロゲンフリーポリマー組成物を含む絶縁材料。